(57)【要約】【課題】水田の除草を行う際に、回転して雑草の掻き取りを行う掻取体に雑草が強く絡まる前に、掻取体の動きに伴って掻取体から除去することができるようにした草掻取具を提供する。【解決手段】草掻取具５６は、回転軸５６１を中心として軸周方向に所要間隔で放射状に設けられた複数の線条体５６６を有する掻取体５６０と、線条体５６６の回転軌跡で形成される面に沿って配されており、回転する線条体５６６と接触して、その接触する部分が、線条体５６６の回転移動に伴い、基部から先部へ向け相対的に移動するように形成された削取部５６７ｂを有する草除去部材５６７とを備える。【選択図】図８
2020039291.tif 000002
【特許請求の範囲】
【請求項１】
回転軸を中心として軸周方向に所要間隔で放射状に設けられた複数の線条体を有する掻取体と、
前記線条体の回転軌跡で形成される面に沿って配されており、回転する前記線条体と接触して、その接触する部分が、前記線条体の回転移動に伴い、基部から先部へ向け相対的に移動するように形成された削取部を有する草除去部材とを備える
草掻取具。
【請求項２】
前記草除去部材が可撓性又は弾性を有し、前記線条体が接触し変形させた前記草除去部材の反発力に抗して回転移動するようにしてある
請求項１記載の草掻取具。
【請求項３】
前記線条体の回転軌跡が円錐台の側面状であり、前記線条体を有する前記掻取体の回転軸が、その移動方向と水平に直交する方向へ倒れるように所要角度で傾斜しており、前記線条体は回転軌跡の最低部においては略水平となって回転するようにしてある
請求項１又は２記載の草掻取具。
【請求項４】
走行機と、
該走行機の前方又は後方、或いは前記走行機自体に配され、回転軸を中心として軸周方向に所要間隔で放射状に設けられた複数の線条体を有する掻取体、前記線条体の回転軌跡で形成される面に沿って配されており、回転する前記線条体と接触して、その接触する部分が、前記線条体の回転移動に伴い、基部から先部へ向け相対的に移動するように形成された削取部を含む草除去部材を有する所要数の草掻取具と、
該草掻取具の前記走行機に対する高さが調節可能な高さ調節機構とを備える
水田除草作業機。
【請求項５】
前記走行機の前方又は後方に配されており、除草作業時において稲株の条間となる位置にそれぞれ設けられた上下方向に回転する複数のカッターを有する、前記走行機に対する高さが調節可能な草切断装置を備える
請求項４記載の水田除草作業機。
【請求項６】
回転軸を中心として軸周方向に所要間隔で放射状に設けられた複数の線条体を有する掻取体を水田の田面で回転させて、前記各線条体で雑草を掻き取る工程と、
前記線条体の回転軌跡で形成される面に沿って配されており、回転する前記線条体と接触する草除去部材において、その接触する部分が、前記線条体の回転移動に伴い、基部から先部へ向け相対的に移動するように前記掻取体を回転させて、前記線条体に引っ掛かっている雑草を前記線条体から削ぎ取る工程とを備える
水田除草方法。
【発明の詳細な説明】
【技術分野】
【０００１】
本発明は、草掻取具、それを使用した水田除草作業機及び水田除草方法に関するものである。詳しくは、水田の除草作業を行う際に、回転して雑草の掻き取りを行う掻取体に残った雑草を、掻取体に強く絡まる前に、掻取体の動きに伴って掻取体から除去することができるようにした草掻取具、それを使用した水田除草作業機及び水田除草方法に関する。
【背景技術】
【０００２】
水稲の栽培において、稲の周りの条間や株間の田面に生える雑草を、大きく成長しないうちに除去する除草作業は、その善し悪しが水稲の収穫量にも影響を及ぼす、きわめて重要な作業である。近年においては、走行機（又は管理機）に取り付けた除草機、或いは除草専用機等を使用して、主に機械的な除草作業が行われている。このような、除草機の一例としては、例えば本願発明者が提案した特許文献１の水田除草作業機がある。
【０００３】
この従来の水田除草作業機は、走行機と、走行機の前方に配され、高さ調節機構を有すると共に除草作業において稲株の条間となる位置に設けられ、水面に浮いた雑草の切断を行う上下方向に回転する複数のカッターを有する草切断装置と、草切断装置の前方に配され、放射状に設けられた線条体の回転軌跡が円盤状で水平方向に対し走行方向側が下がるように所要角度で傾斜している掻取体（特許文献１の図５、図６参照）で田面を掻いて稲株の周りの雑草を掻き取る草掻取装置とを備える。
【先行技術文献】
【特許文献】
【０００４】
【特許文献１】特開２０１６−２０８８７３号公報
【発明の概要】
【発明が解決しようとする課題】
【０００５】
上記従来の水田除草作業機は、条間のみならず、特に機械による除草がしにくいとされる株間の除草も効率的に行うことができる点で有用である。しかしながら、実地での使用を重ねるのに伴い、次の点で改善の余地があることも分かってきた。
【０００６】
即ち、線条体を有する掻取体を回転させて田面の雑草を掻き取ると、雑草は線条体から離れ、水面又は水中に浮遊して草切断装置により切断されるが、雑草の一部は線条体に引っ掛かるようにして離れずに残る。そして、作業が進むにつれて、線条体には多くの雑草が強く絡み付き、掻取体の回転にも支障が出やすくなり、ついには、雑草の掻き取りができなくなることがあった。
【０００７】
このため、除草作業の途中で作業機を止めて、掻取体から雑草を除去する作業を行う必要があった。ところが、除草作業機には、作業の効率を上げるために、掻取体が条間方向に対応して多数設けられており、雑草を除去する作業には相当の手間と時間がかかってしまうので、結局、除草作業の効率を上げることが難しくなるというジレンマがあった。
【０００８】
本発明は、以上の点を鑑みて創案されたものであり、水田の除草作業を行う際に、回転して雑草の掻き取りを行う掻取体に残った雑草を、掻取体に強く絡まる前に、掻取体の動きに伴って掻取体から除去することができるようにした草掻取具、それを使用した水田除草作業機及び水田除草方法を提供することを目的とするものである。
【課題を解決するための手段】
【０００９】
（１）上記の目的を達成するために、本発明の草掻取具は、回転軸を中心として軸周方向に所要間隔で放射状に設けられた複数の線条体を有する掻取体と、線条体の回転軌跡で形成される面に沿って配されており、回転移動する線条体と接触して、その接触する部分が、線条体の回転移動に伴い、基部から先部へ向け相対的に移動するように形成された削取部を有する草除去部材とを備える。
【００１０】
草掻取具は、線条体の回転軌跡が水田の田面に触れるようにして、掻取体が回転することにより、各線条体が田面に生えている雑草を掻き取り、田面から分離させることができる。掻き取られた雑草の大部分は、各線条体から離れて、水面又は水中に浮遊するが、一部は各線条体に引っ掛かって残る。
【００１１】
各線条体に残っている雑草は、雑草の掻き取りを行うための掻取体の回転に伴って、草除去部材により、各線条体から削ぎ取られる。つまり、草除去部材は、線条体の回転軌跡で形成される面に沿って配されており、回転移動する線条体と接触して、その接触する部分が、線条体の回転移動に伴い、基部から先部へ向け相対的に移動するように形成された削取部を有するので、各線条体に残っている雑草は、削取部によって、各線条体の基部から先部へ向けて押しやられて、各線条体から削ぎ取られるようにして離れる。
【００１２】
これにより、従来のような、除草作業における掻取体の回転に伴って、各線条体に雑草が絡まってしまい、田面の雑草の掻き取りができなくなる等の不都合が生じることが抑制される。また、除草作業の途中で作業機を止めて行われる、掻取体から雑草を除去する作業の負担も解消されるか、或いは軽減される。
【００１３】
本明細書及び特許請求の範囲にいう線条体としては、例えば適宜長さの金属製（ピアノ線や鋼線、針金等）、合成樹脂製（ナイロンやポリエチレン等）、或いは金属線を芯材として合成樹脂で被覆した複合材料製のワイヤ状、或いはピン状のもの等があげられるが、これらに限定されるものではない。また、線条体は、剛性を有する材質でもよいが、準剛性、可撓性等、変形性を有するものを採用してもよい。
【００１４】
草除去部材の材料としては、望ましくは水を吸収しない防水性を有する材料、例えば合成樹脂、天然樹脂、金属、或いはそれらの複合材料等が挙げられるが、これらに限定はしない。なお、交換ができるようにしておけば、必ずしも防水性のものでなくてもよく、例えば木材、竹材、或いは皮革（天然、合成）等を採用することもできる。
【００１５】
また、本明細書及び特許請求の範囲にいう、「掻取」、或いは「掻き取り（る）」の用語は、雑草を抜き取る意味や摘み取る意味ではなく、水田の田面の土を掻いて、或いは土と雑草を掻いて、雑草を土から分離させることを含む意味で使用している。
【００１６】
（２）本発明の草掻取具は、草除去部材が可撓性又は弾性を有し、線条体が接触し変形させた草除去部材の反発力に抗して回転移動するようにしてある構成としてもよい。
【００１７】
この草掻取具は、草除去部材が、線条体の回転軌跡で形成される面に沿って配されており、これに線条体が接触して、草除去部材を可撓性又は弾性に抗して変形させていることで、削取部は、略平均的な所要の反発力を以て線条体と接触することができる。
そして、草掻取具が回転することにより、線条体に引っ掛かっている雑草は、草除去部材の削取部によって、安定的に削ぎ取られる。
【００１８】
（３）本発明の草掻取具は、線条体の回転軌跡が円錐台の側面状であり、線条体を有する掻取体の回転軸が、その移動方向と水平に直交する方向へ倒れるように所要角度で傾斜しており、線条体は回転軌跡の最低部においては略水平となって回転するようにしてある構成としてもよい。
【００１９】
この草掻取具は、線条体の回転軌跡が円錐台の側面状であり、線条体を有する掻取体の回転軸が作業機の走行方向と水平に直交する方向へ倒れるように所要角度で傾斜しており、各線条体は、回転軌跡の最低部において、略水平となるようにしてあるので、走行方向へ水平に移動する条件下においては、掻取体による高さ方向の掻き取り可能な範囲を広くとることができる。
【００２０】
従って、掻取体の高さの設定をする際に、例えば各線条体の回転軌跡の最低部の高さを、雑草の茎の基端よりやや低く設定する場合でも、それ程の精度を要求されることはなく、雑草を掻き取る上で作業時の走行に伴う作業機の高さの変動もほとんど影響することはないので、雑草を効率的に田面から掻き取って水中に誘導することができる。
【００２１】
（４）上記の目的を達成するために、本発明の水田除草作業機は、走行機と、走行機の前方又は後方、或いは走行機自体に配され、回転軸を中心として軸周方向に所要間隔で放射状に設けられた複数の線条体を有する掻取体、線条体の回転軌跡で形成される面に沿って配されており、回転移動する線条体と接触して、その接触する部分が、線条体の回転移動に伴い、基部から先部へ向け相対的に移動するように形成された削取部を含む草除去部材を有する所要数の草掻取具と、草掻取具の走行機に対する高さが調節可能な高さ調節機構とを備える。
【００２２】
水田除草作業機は、走行機の前方又は後方、或いは走行機自体に配されている草掻取具により、田面の雑草を掻き取ることができる。即ち、線条体の回転軌跡が水田の田面に触れるようにして、掻取体が回転することにより、各線条体が田面に生えている雑草を掻き取り、田面から分離させることができる。掻き取られた雑草の大部分は、各線条体から離れて、水面又は水中に浮遊するが、一部は各線条体に引っ掛かって残る。
【００２３】
各線条体に残っている雑草は、雑草の掻き取りを行うための掻取体の回転に伴って、草除去部材により、各線条体から削ぎ取られる。つまり、草除去部材は、線条体の回転軌跡で形成される面に沿って配されており、回転移動する線条体と接触して、その接触する部分が、線条体の回転移動に伴い、基部から先部へ向け相対的に移動するように形成された削取部を有するので、各線条体に残っている雑草は、削取部によって、各線条体の基部から先部へ向けて押しやられて、各線条体から削ぎ取られるようにして離れる。
【００２４】
これにより、除草作業における掻取体の回転に伴って、各線条体に雑草が絡まってしまい、田面の雑草の掻き取りができなくなる等の不都合が生じることが抑制される。また、除草作業の途中で作業機を止めて行われる、掻取体から雑草を除去する作業の負担も解消されるか、或いは軽減される。
【００２５】
また、草掻取具は、高さ調節機構により、走行機に対する高さが調節可能であるので、田面における走行機の沈み深さに対応させて、走行機に対する草掻取具の高さ、即ち田面に対する高さを調節することができる。これにより、雑草の成長の度合いに合わせた、田面における雑草の掻き取り深さの設定が可能になる。
【００２６】
（５）本発明の水田除草作業機は、走行機の前方又は後方に配されており、除草作業時において稲株の条間となる位置にそれぞれ設けられた上下方向に回転する複数のカッターを有する、走行機に対する高さが調節可能な草切断装置を備える構成としてもよい。
【００２７】
この水田除草作業機は、草切断装置を備えることにより、上下方向に回転する複数のカッターが、稲株の条間の雑草の掻き取りと切断、及び草掻取具で田面から掻き取られ、水面又は水中に浮遊する雑草を切断することができる。なお、切断片となった雑草は、田面上に沈んでも、田面の土には根付きにくい。
【００２８】
（６）上記の目的を達成するために、本発明の水田除草方法は、回転軸を中心として軸周方向に所要間隔で放射状に設けられた複数の線条体を有する掻取体を水田の田面で回転させて、各線条体で雑草を掻き取る工程と、線条体の回転軌跡で形成される面に沿って配されており、回転する線条体と接触する草除去部材において、その接触する部分が、線条体の回転移動に伴い、基部から先部へ向け相対的に移動するように掻取体を回転させて、線条体に引っ掛かっている雑草を線条体から削ぎ取る工程とを備える。
【００２９】
この水田除草方法によれば、回転軸を中心として軸周方向に所要間隔で放射状に設けられた複数の線条体を有する掻取体を水田の田面で回転させて、各線条体で雑草を掻き取る工程により、雑草を田面から分離させることができる。掻き取られた雑草の大部分は、各線条体から離れて、水面又は水中に浮遊するが、一部は各線条体に引っ掛かって残る。
【００３０】
また、線条体の回転軌跡で形成される面に沿って配されており、回転する線条体と接触する草除去部材において、その接触する部分が、線条体の回転移動に伴い、線条体の基部から先部へ向け相対的に移動するように掻取体を回転させて、線条体に引っ掛かっている雑草を線条体から削ぎ取る工程により、各線条体に引っ掛かって残っている雑草は、削取部で各線条体の基部から先部へ向けて押しやられて、各線条体から削ぎ取られるようにして離れる。
【００３１】
これにより、除草作業における掻取体の回転に伴って、各線条体に雑草が絡まってしまい、田面の雑草の掻き取りができなくなる等の不都合が生じることが抑制される。また、除草作業の途中で作業機を止めて行われる、掻取体から雑草を除去する作業の負担も解消されるか、或いは軽減される。
【発明の効果】
【００３２】
本発明は、水田の除草作業を行う際に、回転して雑草の掻き取りを行う掻取体に残った雑草を、掻取体に強く絡まる前に、掻取体の動きに伴って掻取体から除去することができるようにした草掻取具、それを使用した水田除草作業機及び水田除草方法を提供することができる。
【図面の簡単な説明】
【００３３】
【図１】本発明に係る水田除草作業機の一実施の形態を示す斜視図である。
【図２】図1に示す水田除草作業機の正面図である。
【図３】図1に示す水田除草作業機の作業ユニットの側面視説明図である。
【図４】図1に示す水田除草作業機の動力伝達系の構成を示す説明図である。
【図５】図1に示す水田除草作業機の底面視説明図である。
【図６】本発明に係る草掻取具の一実施の形態を示す斜視図である。
【図７】図６に示す草掻取具の分解斜視説明図である。
【図８】草掻取具の掻き取った雑草をピンから削ぎ取る動きを示す説明図である。
【図９】水田除草作業機の草掻取具により田面の株間の雑草を掻き取っている状態を示す正面視説明図である。
【発明を実施するための形態】
【００３４】
図１乃至図８を参照して、本発明の実施の形態を更に詳細に説明する。
なお、以下の説明において、方向や位置の説明において、「前、後、左、右」の用語を使用する場合があるが、走行機１の走行方向側を「前」、その逆方向側を「後」とし、「左、右」については、便宜上、走行機１に搭乗した作業者（操縦者）から見た「左、右」を基準とする。
【００３５】
水田除草作業機Ｗは、走行機１と、走行機１の前方側に、走行機１に対して高さの調節ができるようにして取り付けられている除草機Ａを備えている。なお、水田除草作業機Ｗでは、各種スイッチ、レバー等の操作系については、図示を省略しているものがある。また、本実施の形態では、除草機Ａは走行機１の前方に設けられているが、これに限定されるものではなく、走行機１の後方、或いは走行機１自体に設ける構成としてもよい。
【００３６】
走行機１は、車台フレーム１０の後部にエンジン１１が搭載されている。エンジン１１の前方には座席１２が取り付けられ、その前方にはハンドル１３を備える操縦部（符号省略）が設けられている。また、各車輪１４は、四輪操舵構造（詳細な構造説明については省略）であり、小回りが利く構造で水田内の走行に有利である。
【００３７】
車台フレーム１０の前端部には、除草機Ａが昇降リンク装置１５を介して昇降可能に取り付けられている。昇降リンク装置１５は、上側の一本のリンク１５０、下側の二本の並設されたリンク１５１、１５２を有し、それぞれの基端部は、車台フレーム１０に固定された上軸１５３、下軸１５４に対し上下方向に回動可能に取り付けられている（図３参照）。
【００３８】
リンク１５０、１５１、１５２の先端部は、後述する除草機Ａの後部のブラケット３３に固定された上軸３３１、下軸３３２に上下方向に回動可能に取り付けられている。また、車台フレーム１０側の上軸１５３とブラケット３３側の下軸３３２の間には、シリンダー基部がリンク１５０内に下部開口側から収まるようにして、油圧シリンダー１６のシリンダー基端とロッド先端が上下方向に回動可能に取り付けられている（図３参照）。
【００３９】
この構造によれば、油圧シリンダー１６のロッドを伸縮させることで、除草機Ａを適宜昇降して、走行機１に対する除草機Ａの高さ、つまり除草機Ａが備える後述する草掻取装置５、及び草切断装置６の高さを調節することができる。なお、除草機Ａの高さは、後述するフロートセンサ装置９からの情報を基に制御される。
【００４０】
除草機Ａは、基フレーム２（図１、図２参照）を有し、上記ブラケット３３は基フレーム２の上に固定されている動力中継機３のケースブラケット３０の後部側に固定されている。ブラケット３３の後部には、上記のように上軸３３１、及び下軸３３２が固定され、上軸３３１にはリンク１５０の先端部が、下軸３３２にはリンク１５１、１５２の先端部、及び油圧シリンダー１６のロッド先端部が上下方向に回動可能に取り付けられている。
【００４１】
ここで、まず、除草機Ａの構造の概略を説明する。
除草機Ａの基フレーム２の上面側には動力中継機３が固定されている。動力中継機３には、後方の走行機１から動力取出軸１７を介し動力が入力される。動力中継機３はギヤ装置（符号省略）を内蔵し、走行方向に対し直角かつ水平方向に、右方向（図１、図２では向かって左方向）に向け設けられた駆動軸３１を備えている。
【００４２】
基フレーム２には、後で説明する揺動フレーム４が中心軸２０を介し中心軸２０を中心として上下方向へ揺動（又は回動）できるように軸着されている。揺動フレーム４の下側には、水田の田面に生えている雑草を草掻取具５６の掻取体５６０によって掻き取る草掻取装置５が昇降調節可能に取り付けられている。草掻取装置５、及び草切断装置６は、水田における除草作業において、後述する水平制御装置８によって常時水平度が調節され、略水平を保つようにしてある。
【００４３】
揺動フレーム４の後側には、掻き取られて水面に浮いた雑草を切断する草切断装置６が、連結腕部材（符号省略）を介し取り付けられている。草切断装置６は、後で説明するカッター駆動軸６６に沿って九箇所に取り付けられたカッター６５を有し、各カッター６５は、カッター駆動軸６６に沿って固定位置の調節が可能である。
【００４４】
草切断装置６は、動力中継機３の駆動軸３１により駆動される。なお、草掻取装置５は、後述するように自身が備えた油圧モーター５７により駆動されるようになっている。また、草掻取具５６、及びカッター６５の数は特に限定されず、稲株の条数に合わせて適宜設定することができる。
【００４５】
以下、除草機Ａの各部の構成を更に詳細に説明する。
（ａ）草切断装置６を駆動する駆動系
基フレーム２の上面に固定されている動力中継機３は、ケースブラケット３０を有し、上記ブラケット３３は、ケースブラケット３０の後部に固定されている。動力中継機３には、後方の走行機１から、スプライン構造を有し角度の変化に伴い伸縮自在な動力取出軸１７を介してエンジン１１の動力が入力される。動力中継機３は、上記したように右方向に向け設けられた駆動軸３１を備えている（図２等参照）。
【００４６】
駆動軸３１の先端側は、揺動フレーム４に固定されている支持フレーム（符号省略）に回転自在に軸支された中継駆動軸６４に接続され、動力が入力される。駆動軸３１は、スプライン構造を有し伸縮自在であり、基端側と先端側に自在継手（符号省略）を有しているので、揺動フレーム４が上下方向に揺動しても動力伝達が可能である。これにより、草掻取装置５、及び草切断装置６の水平度を調節する際の、駆動軸３１先端を接続する中継駆動軸６４の上下方向の動きに対応できるようになっている。
【００４７】
なお、中継駆動軸６４には、スプロケット（図示省略）が設けられ、カッター駆動軸６６に設けられたスプロケット（図示省略）との間にチェーン（図示省略）が掛けられている。これら各軸、スプロケット及びチェーンは、チェーンケース３４（図２参照）に収められている。チェーンケース３４は、上端側が中継駆動軸６４を中心として回動可能に取り付けられ、草切断装置６の上下方向の動きに対応できるようになっている。
【００４８】
また、駆動軸３１の回転速度は、走行機１の走行速度とは別に調節できるようになっている。これにより、上記エンジン１１が作動しており、動力取出軸１７に動力が伝わっていれば、走行機１の走行、停止とは無関係に草切断装置６の作動速度をそれぞれ調節することができる。
【００４９】
上記揺動フレーム４は、左右方向に所要の長さを有する角管で形成され、基フレーム２の前部に、中心軸２０を介し、中心軸２０を中心として揺動可能に軸着されている。つまり、揺動フレーム４は、基フレーム２と平行位置を含み左右側が上下方向へ所要の角度範囲で回動できるようにしてある。なお、揺動フレーム４を揺動調節して、草掻取装置５及び草切断装置６を水平に制御する水平制御装置８については後述する。
【００５０】
（ｂ）草掻取装置５
主に、図４、及び図６乃至図９を参照する。
草掻取装置５は、草切断装置６と略同じ長さの吊設バー５５を有している。吊設バー５５は、基フレーム２に設けられた吊下部材（符号省略）の下端に略水平に固定されている。
【００５１】
吊設バー５５には、長手方向に一定間隔で十六箇所に草掻取具５６が取り付けられており、隣り合う一組の草掻取具５６、５６が設けられる八箇所に下部ケース５５０が設けられている。下部ケース５５０には、取付傾斜部５５３がそれぞれ吊設バー５５の長手方向に配置されて二箇所に設けられ、それぞれ挿通穴（図示省略）が形成されている。各取付傾斜部５５３には、各挿通穴に合わせるように、支承筒５５４が取付傾斜部５５３と直角方向に、基部ブラケット５５５をネジ着して固定されている。
【００５２】
また、吊設バー５５は水平に固定されており、下部ケース５５０の各取付傾斜部５５３は、吊設バー５５の下面に対し約６０°で傾斜しており、従って、各支承筒５５４及び後述する各回転軸５６１の角度は、水平面である田面に対し作業機の走行方向と水平に直交する方向へ倒れるように、約６０°で傾斜している。なお、各取付傾斜部５５３及び各支承筒５５４及び後述する各回転軸５６１の角度は、上記角度に限定されるものではなく、適宜設定が可能である。
【００５３】
支承筒５５４は、略円筒状で所定の長さに形成されている。各支承筒５５４の内部には、上下二箇所に玉軸受（図示省略）が固定されている。各支承筒５５４の内部には、回転軸５６１が通されており、回転軸５６１は各玉軸受により回転自在に軸支されている。回転軸５６１の上端部にはベベルギヤ５６２（図９に図示）が固定されており、ベベルギヤ５６２は、下部ケース５５０の内部の空間に位置している。
【００５４】
図９に示すように、ベベルギヤ５６２は、隣り合う他の草掻取具５６の回転軸５６１に固定されているベベルギヤ５６２と噛み合うようになっている。また、吊設バー５５に並行して、中継回転軸５６３が軸支されており、中継回転軸５６３には、一組の草掻取具５６、５６が設けられる八箇所において、一方の草掻取具５６のベベルギヤ５６２と噛み合うベベルギヤ５６４が固定されている。
【００５５】
中継回転軸５６３の中央部には、ベベルギヤである従動ギヤ（符号省略）が固定され、従動ギヤは、吊設バー５５に固定された油圧モーター５７の回転軸に固定してあるベベルギヤ（符号省略）と噛み合っている。これによれば、各草掻取具５６は、油圧モーター５７により、中継回転軸５６３を介し連動して回転する。
【００５６】
一組の隣り合う草掻取具５６、５６は、互いに反対方向に回転するように、かつ作業時に、後述する線条体５６６が、稲株を両側から抱き込む方向に回転するように駆動される。
なお、油圧モーター５７には、オイルラインや操作系などが付帯するが、その図示及び説明は、ここでは省略する。
【００５７】
各回転軸５６１の先端部にはネジ部５６１ａが設けられており、袋ナット５６１ｂをネジ着して、六角形の回転盤５６５が固定されている。回転盤５６５の外周部には、各辺に沿うよう六箇所に金属製の直線的なピン状の線条体５６６が取り付けられている。各線条体５６６は、先部側が回転盤５６５の外周部から張り出すように斜め放射状かつ回転盤５６５と約３０°の傾斜角度を以て取り付けられている。
【００５８】
回転盤５６５と各線条体５６６により、掻取体５６０が形成されている。なお、線条体５６６の数は、本実施の形態の五本に限定されるものではなく、適宜設定が可能である。また、各線条体５６６の回転盤５６５に対する角度も上記角度に限定されるものではなく、適宜設定が可能である。
【００５９】
上記支承筒５５４の先端には、先部ブラケット５５６が設けられており、先部ブラケット５５６には、草除去部材５６７が固定されている（図６乃至図８参照）。先部ブラケット５５６は、支承筒５５４の外周面に対して反時計回り方向に徐々に上り傾斜するように固定されている（特に図８参照）。また、先部ブラケット５５６の上面には、所要間隔で二箇所にネジピン５５６ａが立てられている。
【００６０】
草除去部材５６７の形状は、各図に示すように、外周部が全周にわたり直線状又は所要曲率で形成された曲線状の細長い楕円に近い形状の板体である。草除去部材５６７の幅方向における一方側の直線状の縁部寄りには、所要間隔で二箇所に孔５６７ａ（図７参照）が形成されている。また、他方側の縁部は、外側へ所要の曲率で膨らむように、かつ線条体５６６の回転方向に徐々に外方へ張り出すように形成された削取部５６７ｂとなっている。
【００６１】
なお、草除去部材５６７は、可撓性又は弾性を有する合成樹脂で形成されており、充分な厚味を以て形成されている。本実施の形態では、厚さが２ｍｍであるが、線条体５６６に引っ掛かった雑草を削ぎ取ることが可能であれば、特に限定はされない。
【００６２】
草除去部材５６７は、各孔５６７ａを各ネジピン５５６ａに嵌め入れ、金属製で可撓性を有し、二箇所に通し孔（符号省略）を有する座板５６８を挟み、袋ナット５６９を各ネジピン５５６ａに締め付けることによって、上記のように傾斜している先部ブラケット５５６に固定されている。
【００６３】
これにより、草除去部材５６７は、先部ブラケット５５６に沿って傾斜しており（特に図８参照）、上記草掻取具５６の掻取体５６０の各線条体５６６のうち一部（最大三本）の線条体５６６と上方から自身がやや変形するように接触させてある（図８参照）。なお、座板５６８は、草除去部材５６７の変形による線条体５６６に対する反発を助ける機能を有している。
【００６４】
なお、隣り合う草掻取具５６の掻取体５６０の線条体５６６の回転軌跡は一部重なるように設定され、雑草の掻き取り残しが生じないようにしている。また、上記構造により、吊設バー５５が水平である場合、各掻取体５６０の線条体５６６は、回転軌跡の最低部において略水平になり、田面と平行になる。
【００６５】
そして、油圧モーター５７で駆動されることにより、各掻取体５６０は、上記回転方向に回転して各線条体５６６の回転軌跡が、傾いた円錐台の側面状となり、各線条体５６６が田面下から水面より上の空間までの範囲で回転軌跡を描いて回転する。これにより、作業時には、各線条体５６６により、田面において雑草を田面下から水中へ移動させるようにして掻き取ることができる。
【００６６】
（ｃ）草掻取装置５の高さ調節機構
図１、及び図３を主に参照する。
草掻取装置５は、揺動フレーム４の右端部に設けられている高さ調節レバー５９（図１、図３参照）を回動調節することにより、後述する草切断装置６に対して高さを調節することができる。高さ調節レバー５９の基端部は、駆動軸（符号省略）に固定されている。駆動軸は、上記連結腕部材の前側にそれぞれ回転可能に軸支されている。
【００６７】
また、揺動フレーム４の上記高さ調節レバー５９側には、調節操作盤５９３が設けられている。調節操作盤５９３の上板部には、高さ調節レバー５９が移動できる案内部５９４が形成され、案内部５９４の縁部には、長手方向に複数の掛止溝部（符号省略）が段階的に形成されている。高さ調節レバー５９の基部側には、掛止溝部に掛止可能な掛止板部（符号省略）が形成されている。
【００６８】
この構造によれば、高さ調節レバー５９を上下方向に回動させると、吊設バー５５が昇降回動する。このように、高さ調節レバー５９を回動し、所要の掛止溝部に掛止板部を掛止することにより、草切断装置６に対する吊設バー５５の高さ、すなわち草掻取装置５の各草掻取具５６の高さを調節することができる。
【００６９】
（ｄ）草切断装置６
図１、図３及び図５を主に参照する。
草掻取装置５の後方には、上記揺動フレーム４に固定された連結腕部材と左右の軸支持部材６１、６１（図３参照、奥側の軸支持部材６１は見えない）を介し、草切断装置６が取り付けられている。軸支持部材６１、６１には、カッターカバー６３が固定されている。
【００７０】
軸支持部材６１、６１の下方側には、カッター駆動軸６６が略水平方向に回転可能に軸支されている（図３、図５参照）。カッター駆動軸６６は、断面形状の外形が六角形の管体（六角管）である。カッター駆動軸６６には、上記カッターカバー６３を構成する、それぞれ両端側の二箇所、かつ作業時に稲株の条間を通る位置（合計で九箇所）に設けられたカバー部６３０の内部に収めて、カッター６５が取り付けられている。
【００７１】
各カッター６５は、互いに略同じ構造で向きが反対の一対のカッターユニット（符号省略）からなる。カッターユニットは、取付基板（符号省略）の周方向の三箇所に、略Ｌ板形状の刃体６５７が固定されている。刃体６５７は、取付基板に固定された取付板部（符号省略）と、取付板部に対し直角に曲げられ、回転方向と逆側へやや逃げ角を設け傾斜した刃板部（符号省略）を有している。各カッターユニットは、カッター駆動軸６６に沿って移動調節が可能である。
【００７２】
そして、各カッター６５を構成する各カッターユニットは、各カバー部６３０内で互いに所要間隔をおいて取り付けられている。また、各カッターユニットは、それぞれに設けられている各刃体６５７を互いに向かい合うように、かつ軸周方向へ６０°ずらして取り付けられている。カッター駆動軸６６が回転し各カッター６５が回転することにより、各刃体６５７は、水面に浮いているか、又は水中に浮遊している雑草を上から叩くようにして切断することができる。
【００７３】
（ｅ）草掻取装置５及び草切断装置６の水平度調節機構
揺動フレーム４に取り付けられている草掻取装置５と草切断装置６の除草作業中における水平度は、水平制御装置８によって制御される（図１、図２参照）。
水平制御装置８は、上記吊設バー５５に取り付けられた水平度センサ（図示省略）を有している。水平度センサは、揺動フレーム４の水平度を検出し、図示していない制御部に水平度情報の信号を送る。
【００７４】
また、水平制御装置８は、揺動フレーム４上面に固定されており、電動モーターとギヤ装置（何れも図示省略）により進退動する駆動ロッド８１を有している。駆動ロッド８１は、ケースブラケット３０へ向け斜め上方に設けられ、先端がケースブラケット３０に上下方向に回動可能に軸着されている。
【００７５】
この構造によれば、水平度センサからの水平度情報の信号を制御部で受けることにより、電動モーターの回転軸の回転方向と回転量が制御され、ギヤ装置により駆動ロッド８１が進退動して揺動フレーム４及び揺動フレーム４に取り付けられている草掻取装置５と草切断装置６が中心軸２０を中心として揺動し、水田での除草作業における草掻取装置５と草切断装置６の水平度が制御される。
【００７６】
（ｆ）除草機Ａの高さ調節機構
除草機Ａの高さは、フロートセンサ装置９により制御される。
フロートセンサ装置９は、揺動フレーム４上面の中心軸２０近傍より前後方向へ向け軸支された軸（符号省略）に基部が固定された吊りアーム（符号省略）を有している。吊りアームの先端には、所要長さの均衡アーム９２の中央部が上下方向に回動可能に軸支されている。均衡アーム９２の四箇所には、それぞれ脚部材９３が垂設され、各脚部材９３の下端には、船型のフロート９４が取り付けられている。
【００７７】
田面に接して上下動する各フロート９４の動きは、センサ（図示省略）によって検出されるようになっており、このセンサからの高さ位置情報の信号を制御部で受けることにより、上記油圧シリンダー１６が作動してロッドが伸縮され、除草機Ａ全体の高さが制御されて、例えば各フロート９４が高くなった場合は、油圧シリンダー１６のロッドが縮んで除草機Ａが低くなる。
【００７８】
〔作用〕
図１乃至図９を参照して、水田除草作業機Ｗの作用を説明する。
水稲の栽培においては、稲がある程度生育した後に、稲の周りの条間や株間に生える雑草を大きく成長しないうちに田面から除去する除草作業を行う。
【００７９】
〔１〕除草機Ａを前側にして水田除草作業機Ｗを水田に乗り入れ、草掻取装置５の各草掻取具５６が、各稲株７１の間に二つずつ位置するように配置する（図９参照）。なお、各草掻取具５６の各組の間隔（図９で左右方向の間隔）は、一般的な田植機で植えられる稲株７１の条間の幅（３０ｃｍ）に合わせてあるので、水田除草作業機Ｗは上記位置に比較的容易に配置することができる。
【００８０】
〔２〕そして、まず、操縦者による走行機１側の操作で、除草機Ａの揺動フレーム４に取り付けられた草掻取装置５と草切断装置６が水平度制御装置８によって水平になるように、つまり水田の田面７と平行になるように設定する。
【００８１】
〔３〕同じく走行機１側の操作で、油圧シリンダー１６を作動させて除草機Ａの高さを調節する。このとき、草切断装置６のカッター６５の回転軌跡の下端の高さ（刃体６５７の最低高さ）の位置が、田面７よりやや低くなるように（例えば１０ｍｍ程度低くなるように）、つまり各刃体６５７で田面７を掻くことができるように設定する。
【００８２】
〔４〕次に、高さ調節レバー５９を操作して、草掻取装置５の各掻取体５６０の各線条体５６６のうち各線条体５６６の回転軌跡の前部側の最低部の高さが、田面７に生えている雑草７０の根部に掛かるように設定する（図９参照）。更に、フロートセンサ装置９の各フロート９４を田面７に載せてセッティングを終了する。
【００８３】
〔５〕走行機１側の操作で、動力中継機３の駆動軸３１を駆動すると、草切断装置６のカッター駆動軸６６に固定されている各カッター６５が回転する。また、油圧モーター５７が駆動されると、草掻取装置５の各掻取体５６０が回転する。なお、各掻取体５６０の回転速さと各カッター６５の回転速さは、走行機１の走行速さとは関わりなくそれぞれ独立して調節できるので、除草作業の状況に合わせてそれぞれ好適に調節することができ、作業がしやすい。
【００８４】
〔６〕走行機１により水田除草作業機Ｗを前進させると、各掻取体５６０は、各線条体５６６で稲株７１を両側から抱き込む方向へ回転し、かつ線条体５６６の回転軌跡が水田の田面７に触れるように回転することにより、各線条体５６６が田面７に生えている雑草７０を掻き取り、田面７から分離させることができる。掻き取られた雑草の大部分は、各線条体から離れて、水面又は水中に浮遊するが、一部は各線条体に引っ掛かって残る。
なお、図８の中図では、説明の便宜上、雑草７０を塊として仮想線で表しているが、実際上、雑草は、後述するように塊になる前の段階で除去される。
【００８５】
また、掻取体５６０は、各線条体５６６の回転軌跡が円錐台の側面状であり、各線条体５６６は、回転軌跡の最低部において略水平になっており、田面７の下から水面より上の空間まで回転軌跡を描いて回転する。従って、作業機が走行方向へ水平に移動する条件下においては、例えば各線条体５６６が水平に回転するものと比較して、高さ方向の掻き取り可能な範囲を広くとることができる。
【００８６】
これにより、掻取体５６０の高さの設定をする際に、例えば各線条体５６６の回転軌跡の最低部の高さを、雑草７０の根部に掛かるように設定する場合でも、それ程の精度を要求されることはなく、雑草を掻き取る上で作業時の走行に伴う作業機の高さの変動もほとんど影響することはないので、雑草７０を効率的に田面７から掻き取ることができる。
【００８７】
各線条体５６６に残っている雑草７０は、雑草７０の掻き取りを行うための掻取体５６０の回転に伴って、掻き取りと同時に、又は並行して、草除去部材５６７により、各線条体５６６から削ぎ取られる。つまり、草除去部材５６７は、線条体５６６の回転軌跡で形成される面に沿って配されており、回転する各線条体５６６は、削取部５６７ｂにおいて、その変形による反発力に抗して接触している（図８参照）。
【００８８】
そして、草除去部材５６７の削取部５６７ｂが、線条体５６６の回転方向に徐々に外方へ張り出すようになっている形状によって、線条体５６６と接触する部分が、線条体５６６の回転移動に伴い、線条体５６６の基部から先部へ向け相対的に移動する。よって、各線条体５６６に引っ掛かって残っている雑草７０は、削取部５６７ｂによって、各線条体５６６の基部から先部へ向けて押しやられて、各線条体５６６から削ぎ取られるようにして離れる（図８の中図参照）。
【００８９】
これにより、従来のように、除草作業における掻取体５６０の回転に伴って、各線条体５６６に雑草７０が絡まってしまうことにより田面７の雑草７０の掻き取りができなくなる等の不都合が生じることを防止するか、抑制することができる。また、除草作業の途中で作業機を止めて行われる、掻取体５６０から強く絡まった雑草を除去する作業（クリーニング作業）の負担が解消されるか、或いは軽減される。
【００９０】
〔７〕草掻取装置５の後方においては、草切断装置６の各カッター６５によって、上記水面又は水中に浮遊している雑草７０を切断すると共に、稲株７１の条間の田面下においては、各掻取体５６０で取り切れなかった雑草７０の掻き取りと切断を同時に行うことができる。
【００９１】
〔８〕このように、田面７の雑草７０が、各掻取体５６０による掻き取り後、各カッター６５によって切断されるので、雑草７０の切断片が後で田面７に沈んだ場合でも、田面７の土に根付くことを防止できる。また、これにより、結果的に除草回数を減らすことができる。
【００９２】
なお、操縦者は、前を向いた無理のない姿勢のまま、各カッター６５及び各カッター６５の前方の各掻取体５６０の掻き取りの様子及び状況を確認することでき、除草状態をリアルタイムで確認しながら作業を行うことができる。これにより、例えば走行機１の走行位置が稲株７１の条間の幅方向へ多少ずれているような場合等も迅速に修正することができ、効率的な除草作業を行うことができる。
【００９３】
また、草掻取装置５と草切断装置６の水平度は、水平度制御装置８により制御されており、各掻取体５６０による田面７での掻き取り深さを各掻取体５６０において略同じ状態で維持することができるので、除草機Ａの幅方向の各所で差のない安定した除草作業を行うことができる。
【００９４】
本明細書及び特許請求の範囲で使用している用語と表現は、あくまでも説明上のものであって、なんら限定的なものではなく、本明細書及び特許請求の範囲に記述された特徴及びその一部と等価の用語や表現を除外する意図はない。また、本発明の技術思想の範囲内で、種々の変形態様が可能であるということは言うまでもない。
【符号の説明】
【００９５】
Ｗ  水田除草作業機
１  走行機
１０  車台フレーム
１１  エンジン
１２  座席
１３  ハンドル
１４  車輪
１５  昇降リンク装置
１５０、１５１、１５２  リンク
１５３  上軸
１５４  下軸
１６  油圧シリンダー
１７  動力取出軸
Ａ  除草機
２  基フレーム
２０  中心軸
３  動力中継機
３０  ケースブラケット
３１  駆動軸
３３  ブラケット
３３１  上軸
３３２  下軸
３４  チェーンケース
４  揺動フレーム
５  草掻取装置
５５  吊設バー
５５０  下部ケース
５５３  取付傾斜部
５５４  支承筒
５５５  基部ブラケット
５５６  先部ブラケット
５５６ａ  ネジピン
５６  草掻取具
５６０  掻取体
５６１  回転軸
５６１ａ  ネジ部
５６１ｂ  袋ナット
５６２  ベベルギヤ
５６３  中継回転軸
５６４  ベベルギヤ
５６５  回転盤
５６６  線条体
５６７  草除去部材
５６７ａ  孔
５６７ｂ  削取部
５６８  座板
５６９  袋ナット
５７  油圧モーター
５９  高さ調節レバー
５９３  調節操作盤
５９４  案内部
６  草切断装置
６１  軸支持部材
６３  カッターカバー
６３０  カバー部
６４  中継駆動軸
６５  カッター
６５７  刃体
６６  カッター駆動軸
７  田面
７０  雑草
７１  稲株
８  水平制御装置
８１  駆動ロッド
９  フロートセンサ装置
９２  均衡アーム
９３  脚部材
９４  船型のフロート
【図１】
2020039291.tif 000003
【図２】
2020039291.tif 000004
【図３】
2020039291.tif 000005
【図４】
2020039291.tif 000006
【図５】
2020039291.tif 000007
【図６】
2020039291.tif 000008
【図７】
2020039291.tif 000009
【図８】
2020039291.tif 000010
【図９】
2020039291.tif 000011